(57)【特許請求の範囲】
【請求項１】
コンピュータを、受診者の診療情報の入力及び記録を行うための診療情報入力支援システムとして機能させる診療情報入力プログラムであって、
利用者に文例を表示する表示手段、
前記表示手段によって表示された文例に対する修正操作を利用者から受け付ける受付手段、
前記受付手段によって受け付けられた修正操作が反映された後の反映後文例と、該修正操作が反映される前の反映前文例とを比較することで、前記利用者により修正操作が行われた箇所となる該反映後文例のうち該反映前文例と相違する相違箇所を特定する特定手段、
前記特定手段によって特定された相違箇所に所定の記号を挿入し、該所定の記号が挿入された反映後文例を雛形として所定の記憶部に登録する登録手段
として機能させることを特徴とする診療情報入力プログラム。
【請求項２】
前記コンピュータを、
前記登録手段によって前記所定の記憶部に登録された雛形を読み出し、読み出した雛形のうち前記所定の記号が挿入された挿入箇所に対する入力操作が可能な状態にて、該雛形を所定の出力部に出力する出力手段としてさらに機能させることを特徴とする請求項１に記載の診療情報入力プログラム。
【請求項３】
電子カルテに含まれる診療情報を前記利用者に表示する電子カルテ実行手段として前記コンピュータを更に機能させるものであって、
前記表示手段は、前記電子カルテ実行手順により表示されている診療情報のうち、利用者によって選択された部分を前記電子カルテとは別に表示することを特徴とする請求項１に記載の診療情報入力プログラム。
【請求項４】
受診者の診療情報の入力及び記録を行うための診療情報入力支援装置であって、
利用者に文例を表示する表示部と、
前記表示部によって表示された文例に対する修正操作を利用者から受け付ける受付部と
、
前記受付部によって受け付けられた修正操作が反映された後の反映後文例と、該修正操作が反映される前の反映前文例とを比較することで、前記利用者により修正操作が行われた箇所となる該反映後文例のうち該反映前文例と相違する相違箇所を特定する特定部と、
前記特定部によって特定された相違箇所に所定の記号を挿入し、該所定の記号が挿入された反映後文例を雛形として所定の記憶部に登録する登録部と
を備えたことを特徴とする診療情報入力装置。
【請求項５】
コンピュータによって実行される診療情報入力方法であって、
前記コンピュータが、
利用者に文例を表示する表示ステップと、
前記表示ステップによって表示された文例に対する修正操作を利用者から受け付ける受付ステップと、
前記受付ステップによって受け付けられた修正操作が反映された後の反映後文例と、該修正操作が反映される前の反映前文例とを比較することで、前記利用者により修正操作が行われた箇所となる該反映後文例のうち該反映前文例と相違する相違箇所を特定する特定ステップと、
前記特定ステップによって特定された相違箇所に所定の記号を挿入し、該所定の記号が挿入された反映後文例を雛形として所定の記憶部に登録する登録ステップと
を実行することを特徴とする診療情報入力方法。
【請求項６】
テンプレートの作成の元となる第一の文例を記憶する記憶部から前記第一の文例を取得し、
取得した該第一の文例に対する削除指示の入力を受け付ける入力部によって受け付けられた削除指示により第一の文例の一部が削除された第二の文例について、該第一の文例における該第二の文例を作成する際に削除された領域を特定し、
特定した該領域については文字の入力が可能な可変領域とし、該第一の文例における該第二の文例を作成する際に削除されなかった部分を可変領域としないテンプレートを生成して前記記憶部に記憶する
処理をコンピュータに実行させるテンプレート生成プログラム。
【請求項７】
テンプレートの作成の元となる第一の文例を記憶する記憶部から前記第一の文例を取得し、
取得した該第一の文例に対する削除指示の入力を受け付ける入力部によって受け付けられた削除指示により第一の文例の一部が削除された第二の文例について、該第一の文例における該第二の文例を作成する際に削除された領域を特定し、
特定した該領域については文字の入力が可能な可変領域とし、該第一の文例における該第二の文例を作成する際に削除されなかった部分を可変領域としないテンプレートを生成して前記記憶部に記憶する
処理をコンピュータが実行するテンプレート生成方法。
【請求項８】
テンプレートの作成の元となる第一の文例を記憶する記憶部から前記第一の文例を取得し、取得した該第一の文例に対する削除指示の入力を受け付ける入力部によって受け付けられた削除指示により第一の文例の一部が削除された第二の文例について、該第一の文例における該第二の文例を作成する際に削除された領域を特定し、特定した該領域については文字の入力が可能な可変領域とし、該第一の文例における該第二の文例を作成する際に削除されなかった部分を可変領域としないテンプレートを生成して前記記憶部に記憶する制御部を有する
テンプレート生成装置。
【発明の詳細な説明】
【技術分野】
【０００１】
本発明は、診療情報入力プログラム、診療情報入力装置および診療情報入力方法に関する。
【背景技術】
【０００２】
電子カルテシステムのカルテ入力画面は、受診者（患者や妊産婦等の診察対象者を総称して「受診者」と総称する）の情報を入力する入力領域を備え、利用者(医師)からの各種情報の入力を受け付けて、これを記録する。また、カルテ入力画面に情報を入力する手法として、テキストエディタのように直接利用者が文章入力する手法や、予め登録された文例を用いて入力する手法が用いられている。
【０００３】
ここで、従来、文例を予め登録する手法として、様々な手法が知られている。例えば、利用者によって選択された文例のうち、文例利用時に修正する箇所を削除したうえで登録する登録手法や、利用者によって選択された文例のうち利用者によって指定された領域が入力領域になる文例として登録する指定手法が知られている。なお、文例利用時に修正する箇所とは、例えば、利用者によって選択された文例が「体温：３６．５度」である場合には、文例利用時には別の数値が入力される「３６．５」が該当する。
【先行技術文献】
【特許文献】
【０００４】
【特許文献１】特開平８−９５９６１号公報
【発明の概要】
【発明が解決しようとする課題】
【０００５】
しかしながら、上記した従来の手法では、再利用しやすい文例を簡単に登録できなかった。例えば、上記した登録手法では、単に数値部分がない文例を登録するにすぎず、再利用しやすい文例ではなかった。また、例えば、上記した指定手法では、利用者が入力領域になる領域を明示的に選択しなければならず、簡単に登録できなかった。
【０００６】
開示の技術は、上記に鑑みてなされたものであって、再利用しやすい文例を簡単に登録可能な診療情報入力プログラム、診療情報入力装置および診療情報入力方法を提供することを目的とする。
【課題を解決するための手段】
【０００７】
本願の開示する診療情報入力プログラムは、一つの態様において、コンピュータを、受診者の診療情報の入力及び記録を行うための診療情報入力支援システムとして機能させる。そして、診療情報入力プログラムは、利用者に文例を表示する表示手順と、前記表示手順によって表示された文例に対する修正操作を利用者から受け付ける受付手順と、をコンピュータに実行させる。また、診療情報入力プログラムは、前記受付手順によって受け付けられた修正操作が反映された後の反映後文例と、該修正操作が反映される前の反映前文例とを比較することで、該反映後文例のうち該反映前文例と相違する相違箇所を特定する特定手順をコンピュータに実行させる。また、診療情報入力プログラムは、前記特定手順によって特定された相違箇所に所定の記号を挿入し、該所定の記号が挿入された反映後文例を雛形として所定の記憶部に登録する登録手順をコンピュータに実行させる。
【発明の効果】
【０００８】
本願の開示する診療情報入力プログラムの一つの態様によれば、再利用しやすい雛形を容易に作成することが可能である。
【図面の簡単な説明】
【０００９】
【図１】図１は、実施例１に係る診療情報入力装置の構成の一例を説明するためのブロック図である。
【図２】図２は、実施例１における診療情報入力装置による処理の流れの一例を説明するためのフローチャートである。
【図３】図３は、実施例２に係る診療情報入力装置が有する各部のうち、雛形の登録に関係する各部についての構成について説明するためのブロック図である。
【図４】図４は、実施例２における雛形記憶部に記憶された情報の一例を説明するための図である。
【図５】図５は、実施例２における電子カルテの入力画面の一例を説明するための図である。
【図６−１】図６−１は、実施例２における雛形登録処理を説明するための図である。
【図６−２】図６−２は、実施例２における雛形登録処理を説明するための図である。
【図６−３】図６−３は、実施例２における雛形登録処理を説明するための図である。
【図６−４】図６−４は、実施例２における雛形登録処理を説明するための図である。
【図７】図７は、実施例２に係る診療情報入力装置が有する各部のうち、雛形を利用した診療情報の入力処理に関係する各部についての構成について説明するためのブロック図である。
【図８】図８は、実施例２における抽出雛形記憶部に記憶された情報の一例を説明するための図である。
【図９−１】図９−１は、実施例２における雛形を利用した入力処理を説明するための図である。
【図９−２】図９−２は、実施例２における雛形を利用した入力処理を説明するための図である。
【図９−３】図９−３は、実施例２における雛形を利用した入力処理を説明するための図である。
【図９−４】図９−４は、実施例２における雛形を利用した入力処理を説明するための図である。
【図９−５】図９−５は、実施例２における雛形を利用した入力処理を説明するための図である。
【図１０】図１０は、実施例２に係る診療情報入力装置による全体処理の流れの一例について説明するためのフローチャートである。
【図１１】図１１は、実施例２における診療情報入力装置による雛形登録処理の流れの一例を説明するためのフローチャートである。
【図１２】図１２は、実施例２における診療情報入力装置による雛形を利用した入力処理の流れの一例を説明するためのフローチャートである。
【図１３】図１３は、実施例２に係る登録プログラムを実行するコンピュータの一例について説明するための図である。
【発明を実施するための形態】
【００１０】
以下に、本願の開示する診療情報入力プログラム、診療情報入力装置および診療情報入力方法の実施例を図面に基づいて詳細に説明する。なお、この実施例によりこの発明が限定されるものではない。
【実施例１】
【００１１】
［実施例１に係る診療情報入力装置の構成］
図１を用いて、実施例１に係る診療情報入力装置１００の構成の一例を説明する。図１は、実施例１に係る診療情報入力装置の構成の一例を説明するためのブロック図である。
【００１２】
診療情報入力装置１００は、受診者の診療情報の入力及び記録を行うための診療情報入力支援システムであり、図１に示すように、記憶部１０１と表示部２０１と受付部２０２と特定部２０３と登録部２０４とを有する。
【００１３】
表示部２０１は、利用者に文例を表示する。また、受付部２０２は、表示部２０１によって表示された文例に対する修正操作を利用者から受け付ける。また、特定部２０３は、受付部２０２によって受け付けられた修正操作が反映された後の反映後文例と、修正操作が反映される前の反映前文例とを比較することで、反映後文例のうち反映前文例と相違する相違箇所を特定する。
【００１４】
登録部２０４は、特定部２０３によって特定された相違箇所に所定の記号を挿入し、所定の記号が挿入された反映後文例を雛形として記憶部１０１に登録する。
【００１５】
すなわち、診療情報入力装置１００は、利用者によって文例が修正されると、修正前後を比較することで相違箇所を特定し、相違箇所に所定の記号を挿入したうえで雛形として登録する。
【００１６】
［実施例１に係る診療情報入力装置による処理］
次に、図２を用いて、実施例１における診療情報入力装置１００による処理の流れの一例を説明する、図２は、実施例１における診療情報入力装置による処理の流れの一例を説明するためのフローチャートである。
【００１７】
図２に示すように、実施例１に係る診療情報入力装置１００では、雛形を登録する処理タイミングになると（ステップＳ１０１肯定）、表示部２０１が文例を表示する（ステップＳ１０２）。そして、受付部２０２は、修正操作を利用者から受け付け（ステップＳ１０３）、特定部２０３が、修正前後を比較することで相違箇所を特定する（ステップＳ１０４）。
【００１８】
そして、登録部２０４は、相違箇所に所定の記号を挿入したうえで（ステップＳ１０５）、所定の記号が挿入された反映後文例を雛形として登録する（ステップＳ１０６）。
【００１９】
［実施例１の効果］
上記したように、実施例１によれば、診療情報入力装置１００は、利用者に文例を表示し、表示された文例に対する修正操作を利用者から受け付ける。そして、反映後文例と反映前文例とを比較することで相違箇所を特定し、相違箇所に所定の記号が挿入された反映後文例を雛形として登録する。この結果、再利用しやすい雛形を容易に作成することが可能である。
【００２０】
つまり、実施例１によれば、文例利用時に所定の記号が挿入された箇所を入力領域とすることで、再利用しやすい雛形を登録することが可能である。また、実施例１によれば、診療情報入力装置１００が相違箇所を特定して所定の記号を挿入したうえで雛形として登録するので、再利用しやすい雛形を簡単に登録することが可能である。
【実施例２】
【００２１】
次に、実施例２に係る診療情報入力装置１００について説明する。実施例２に係る診療情報入力装置１００は、以下に説明するように、雛形を登録し、雛形を利用して診療情報を電子カルテに入力する。
【００２２】
実施例２では、実施例２に係る診療情報入力装置１００の構成や処理の流れ、効果について順に説明する。また、実施例２に係る診療情報入力装置１００の構成について説明する際には、説明の便宜上、診療情報入力装置１００が有する各部のうち雛形の登録に関係する各部についてまず説明し、その後、雛形を利用した診療情報の入力処理に関係する各部について説明する。
【００２３】
［実施例２に係る診療情報入力装置の構成］
［雛形の登録に関係する各部］
図３を用いて、実施例２に係る診療情報入力装置１００の構成について説明する。具体的には、実施例２に係る診療情報入力装置１００が有する各部のうち、雛形の登録に関係する各部についての構成について説明する。図３は、実施例２に係る診療情報入力装置が有する各部のうち、雛形の登録に関係する各部についての構成について説明するためのブロック図である。
【００２４】
なお、説明の便宜上、図３には、雛形を用いての診療情報の入力に関係する各部については、後述するため、雛形の登録に関係する各部と共通する部を除き記載を省略した。
【００２５】
図３に示すように、診療情報入力装置１００は、入力部３０１と出力部３０２と記憶部４００と制御部５００とを有する。入力部３０１は、制御部５００内にある電子カルテ実行部５０１と表示部５０２と接続され、キーボードやマウスなどの入力機器が該当する。入力部３０１は、利用者による指示や操作を受け付けると、受け付けた指示内容を電子カルテ実行部５０１や表示部５０２に出力する。
【００２６】
なお、入力部３０１によって受け付けられる指示や操作については、ここでは説明を省略し、関係する各部について説明する際に併せて説明する。
【００２７】
出力部３０２は、制御部５００内にある電子カルテ実行部５０１と表示部５０２と接続され、モニタやスピーカなどの出力機器が該当する。出力部３０２は、制御部５００から情報を受信すると利用者に出力し、例えば、モニタにて表示する。なお、出力部３０２によって出力される情報については、ここでは説明を省略し、関係する各部について説明する際に併せて説明する。
【００２８】
記憶部４００は、制御部５００と接続され、制御部５００による各種処理に用いるデータを記憶する。図３に示す例では、記憶部４００は、電子カルテ記憶部４０１と雛形記憶部４０２とを有する。
【００２９】
電子カルテ記憶部４０１は、電子カルテ実行部５０１と接続され、受診者に関する診療情報を記録する電子カルテを記憶する。また、電子カルテ記憶部４０１によって記憶された電子カルテは、電子カルテ実行部５０１によって用いられ、例えば、電子カルテ実行部５０１によって出力部３０２に出力される。
【００３０】
雛形記憶部４０２は、制御部５００内にある登録部５０４と接続され、図４に示すように、雛形を記憶する。なお、図４は、実施例２における雛形記憶部に記憶された情報の一例を説明するための図である。
【００３１】
図４に示す例では、雛形記憶部４０２は、検索キーに対応付けて雛形を記憶する。ここで、検索キーは、雛形を利用者が利用する際に用いられるキーワードであり、例えば、利用者によって雛形登録時に雛形と対応付けて入力される。検索キーは、図４に示す例では、「ＶＳ」や「顔面スコア」などが該当する。
【００３２】
また、雛形は、登録部５０４によって雛形記憶部４０２に登録された文例であり、例えば、相違箇所に所定の記号が入力された文例が該当する。また、図４に示す例では、雛形は、
「体温        ：■℃
血圧（最高）：■mmHg
血圧（最低）：■mmHg
脈拍        ：■回」
などが該当する。なお、ここで、図４に示す「■」は、相違箇所に挿入された所定の記号を示し、以下では、可変領域コードと称する。後述するように、可変領域コードが挿入されている雛形は、可変領域コードが挿入された部分に対する利用者の入力操作を受け付ける一方、それ以外の部分に対する入力操作を受け付けない。例えば、「体温：■℃」の場合には、「■」の部分に対する入力操作を受け付ける一方、それ以外の「体温：℃」に対する入力操作や変更操作を受け付けない。
【００３３】
なお、図４に示す例では、雛形記憶部４０２が、雛形として、可変領域コードを含む文例だけでなく、所定の記号を含まない雛形も記憶する場合を例に示した。可変領域コードを含まない雛形とは、図４に示す例では、「病理検査の結果、山田Ｉ型ポリープと判明。」などが該当する。
【００３４】
また、雛形記憶部４０２に記憶された情報は、登録部５０４によって入力される。
【００３５】
制御部５００は、記憶部４００と入力部３０１と出力部３０２と接続される。また、制御部５００は、各種の処理手順などを規定したプログラムを記憶するための内部メモリを有し、種々の処理を実行する。また、制御部５００は、図３に示す例では、電子カルテ実行部５０１と表示部５０２と特定部５０３と登録部５０４とを有する。
【００３６】
電子カルテ実行部５０１は、入力部３０１と出力部３０２と電子カルテ記憶部４０１と接続される。また、電子カルテ実行部５０１は、入力部３０１から電子カルテを起動する電子カルテ起動指示を受信すると、電子カルテ記憶部４０１に記憶された電子カルテを取得する。そして、電子カルテ実行部５０１は、電子カルテに対して診療情報を利用者が入力するための入力画面や、取得した電子カルテに既に入力されていた診療情報を出力部３０２に出力する。その後、出力部３０２が、図５に示すような入力画面を利用者に出力する。なお、図５は、実施例２における電子カルテの入力画面の一例を説明するための図である。例えば、電子カルテ実行部５０１は、電子カルテのカルテエディタを起動することで、電子カルテの入力画面を出力部３０２に出力する。
【００３７】
なお、図５に示す例では、「ＳＯＡＰ形式」によるカルテの例を示した。すなわち、図５の「Ｓ」は主観的情報、「Ｏ」は客観的情報、「Ａ」は評価、「Ｐ」は今後のプランに関する記載であることを示す。
【００３８】
なお、電子カルテ実行部５０１による処理の流れについては、図１１を用いて後述するため、ここでは説明を省略する。
【００３９】
表示部５０２は、入力部３０１と出力部３０２と特定部５０３と接続される。また、表示部５０２は、電子カルテ実行部５０１によって出力部３０２を介して出力された診療情報のうち一部またはすべてを選択する選択指示と、文例を雛形として登録する旨の指示とを入力部３０１から受信すると、選択指示によって識別される文例を利用者に表示する。
【００４０】
例えば、図６−１に示すように、利用者によって診療情報の一部が選択反転され、図６−１の「文例登録」に示すように、文例を雛形として登録する旨の指示を示す選択肢が利用者によって選択される場合を例に説明する。ここで、表示部５０２は、図６−２に示すように、文例を雛形として登録するための文例登録エディタを起動し、文例登録エディタ上に、選択指示によって識別される文例を表示する。なお、図６−１と図６−２とは、実施例２における雛形登録処理を説明するための図である。
【００４１】
図６−２に示す例では、文例登録エディタには、検索キーの入力を受け付ける領域６０１と、文例が表示される領域６０２と、利用者から登録する旨の指示を受け付ける登録キーとなる領域６０３とを有する。図６−２に示す例では、文例登録エディタが起動した状態において、利用者によって選択判定された箇所に対応する文例が表示される。
【００４２】
表示部５０２は、文例に対する修正操作を入力部３０１から受け付けると、受け付けた修正操作を領域６０２に表示されている文例に反映する。例えば、利用者によって受診者固有の部分を削除する旨の修正操作が行われた場合には、表示部５０２は、図６−３に示すように、領域６０２に表示されている文例から受診者固有の部分を削除する。なお、図６−３は、実施例２における雛形登録処理を説明するための図である。
【００４３】
また、表示部５０２は、検索キーを入力する入力指示を入力部３０１から受け付けると、受け付けた入力指示により識別される検索キーを領域６０１に入力し、例えば、図６−３に示す例では、検索キー「ＶＳ」を入力する。
【００４４】
また、表示部５０２は、文例を雛形として登録する旨の指示を入力部３０１から受け付けると、例えば、登録キーとなる領域６０３が利用者によって選択されると、反映前文例と反映後文例とを特定部５０３に出力する。
【００４５】
ここで、反映前文例は、利用者による修正操作が反映される前の文例を示し、具体的には、利用者による選択指示によって識別される文例が該当する。反映前文例は、図６−１における選択反転された文例や、図６−２における文例登録エディタ上に表示されている文例が該当する。
【００４６】
また、反映後文例は、利用者による修正操作が反映された後の文例を示し、具体的には、表示されている文例を登録する旨の指示を受信した際に、文例登録エディタ上に表示されていた文例が該当する。反映後文例は、図６−３における文例登録エディタ上に表示されている文例が該当し、図６−３に示す例では、受診者固有の部分が削除された文例が該当する。
【００４７】
また、表示部５０２は、検索キーを入力する入力指示を入力部３０１から受信している場合には、反映前文例と反映後文例とに加えて、検索キーを特定部５０３に出力する。
【００４８】
特定部５０３は、表示部５０２と登録部５０４と接続される。また、特定部５０３は、反映前文例と反映後文例とを表示部５０２から受信すると、反映後文例と反映前文例とを比較することで、反映後文例のうち反映前文例と相違する相違箇所を特定する。例えば、図６−２に示す反映前文例の「体温：３８．２℃」が、図６−３に示す反映後文例では「体温：℃」となっており、特定部５０３は、「体温：★℃」における「★」の部分が相違すると特定する。言い換えると、特定部５０３は、反映後文例のうち、反映前文例とを比較することで削除された削除箇所を特定する。
【００４９】
相違箇所を特定する点について、さらに説明する。特定部５０３は、例えば、編集した前後文字で挟まれる部分を相違箇所と特定する。例えば、「体温：３６．５℃」が「体温：℃」へと利用者によって修正された場合には、「：」と「℃」で挟まれる部分が相違箇所であると特定する。
【００５０】
特定部５０３は、相違箇所と反映後文例とを登録部５０４に出力する。また、特定部５０３は、表示部５０２から検索キーを受信している場合には、相違箇所と反映後文例とに加えて、検索キーを登録部５０４に出力する。
【００５１】
登録部５０４は、特定部５０３と雛形記憶部４０２と接続される。また、登録部５０４は、相違箇所と反映後文例とを特定部５０３から受信すると、反映後文例のうち相違箇所に可変領域コードを挿入し、図６−４の（２）に示すように、可変領域コードが挿入された反映後文例を雛形として雛形記憶部４０２に登録する。また、登録部５０４は、特定部５０３から検索キーを受診している場合には、雛形に対応付けて検索キーを入力する。なお、図６−４は、実施例２における雛形登録処理を説明するための図である。図６−４の（１）には、反映後文例と検索キーとを表示している文例登録エディタの画面の一例を示した。
【００５２】
また、登録部５０４は、相違箇所すべてに可変領域コードを挿入し、言い換えると、特定部５０３によって特定された削除箇所全てに可変領域コードを挿入する。
【００５３】
［雛形を用いての診療情報の入力に関係する各部］
次に、図７を用いて、実施例２に係る診療情報入力装置１００が有する各部のうち、雛形を利用した診療情報の入力に関係する各部の構成について説明する。図７は、実施例２に係る診療情報入力装置が有する各部のうち、雛形を利用した診療情報の入力処理に関係する各部についての構成について説明するためのブロック図である。
【００５４】
なお、図７を用いて説明する各部のうち、図３を用いて説明した部と同じ部については、図３にて付与した符号と同じ符号を付与した。また、図３を用いて説明した内容と同様の点については、簡単に説明し、または、説明を省略する。
【００５５】
図７に示すように、診療情報入力装置１００は、図３を用いて説明した各部に加えて、さらに、記憶部４００内に取得雛形記憶部４０３を有し、制御部５００内に雛形検索部５０５と雛形処理部５０６とを有する。なお、図７では、図３を用いて説明した各部のうち、入力部３０１と出力部３０２と雛形記憶部４０２と電子カルテ実行部５０１とを併せて示した。
【００５６】
雛形記憶部４０２は、図７に示すように、雛形検索部５０５とさらに接続される。ここで、雛形記憶部４０２によって記憶された情報は、雛形検索部５０５によって用いられる。
【００５７】
取得雛形記憶部４０３は、雛形検索部５０５と雛形処理部５０６と接続され、後述するように、雛形検索部５０５によって雛形記憶部４０２から取得された雛形を記憶する。例えば、後述するように、雛形検索部５０５が検索キー「ＶＳ」を用いて雛形記憶部４０２から雛形を取得した場合には、取得雛形記憶部４０３は、図８に示すように、検索キー「ＶＳ」に対応付けられた雛形を記憶する。なお、図８は、実施例２における抽出雛形記憶部に記憶された情報の一例を説明するための図である。
【００５８】
取得雛形記憶部４０３に記憶された情報は、雛形検索部５０５によって入力され、雛形処理部５０６によって用いられる。
【００５９】
雛形検索部５０５は、入力部３０１と雛形記憶部４０２と取得雛形記憶部４０３と接続される。また、雛形検索部５０５は、電子カルテの入力画面に対して診療情報を入力する入力操作が利用者によって入力部３０１に行われると、利用者による入力操作を入力部３０１から受け付け、例えば、利用者によって選択されたＩＭＥ文字変換候補を入力部３０１から受け付ける。そして、雛形検索部５０５は、利用者による入力操作によって識別される入力文字列をキーとして雛形記憶部４０２を参照し、検索キーに対応する雛形すべてを雛形記憶部４０２から取得する。
【００６０】
例えば、電子カルテの入力画面に対して、利用者によって「ＶＳ」が入力された場合を例に説明する。雛形検索部５０５は、雛形記憶部４０２に記憶された検索キーのうち入力文字列と完全一致する検索キーを識別し、例えば、検索キー「ＶＳ」を取得する。そして、雛形検索部５０５は、検索キー「ＶＳ」を用いて雛形記憶部４０２を参照し、検索キー「ＶＳ」に対応付けられた雛形すべてを取得する。例えば、図４に示す例では、雛形検索部５０５は、
「体温        ：■℃
血圧（最高）：■mmHg
血圧（最低）：■mmHg
脈拍        ：■回」や「受診時ＶＳ測定要」などを取得する。
【００６１】
また、例えば、雛形検索部５０５は、入力文字列と部分一致する雛形を取得し、言い換えると、入力文字列が含まれる雛形を取得してもよい。
【００６２】
また、雛形検索部５０５は、取得した雛形を取得雛形記憶部４０３に入力し、例えば、図８に示すように、「受診時ＶＳ測定要」などを入力する。
【００６３】
雛形処理部５０６は、取得雛形記憶部４０３と入力部３０１と出力部３０２と接続される。また、雛形処理部５０６は、雛形検索部５０５によって雛形が取得雛形記憶部４０３に入力されると、入力された雛形を読み出して利用者に出力する。なお、取得雛形記憶部４０３に入力された雛形は登録部５０４によって雛形記憶部４０２に登録された雛形であり、雛形処理部５０６は、登録部５０４によって雛形記憶部４０２に登録された雛形を利用者に出力することになる。
【００６４】
例えば、雛形処理部５０６は、取得雛形記憶部４０３から雛形を取得すると、図９−１に示すように、取得雛形記憶部に入力された雛形の一覧画面を表示する。例えば、図８に示す例では、取得雛形記憶部４０３には３つの雛形が入力されており、雛形処理部５０６は、図９−１に示すように、３つの雛形の一覧画面を表示する。なお、図９−１は、実施例２における雛形を利用した入力処理を説明するための図である。
【００６５】
また、例えば、雛形処理部５０６は、一覧画面にて利用者によって選択された雛形を電子カルテの入力画面に出力し、例えば、図９−１に示す例では、
「体温        ：℃
血圧（最高）：mmHg
血圧（最低）：mmHg
脈拍        ：回」を出力することになる。
【００６６】
電子カルテの入力画面に雛形を出力する点について、さらに説明する。雛形処理部５０６は、利用者によって選択された雛形に可変領域コードが含まれているかを判定する。ここで、雛形処理部５０６は、利用者によって選択された雛形に可変領域コードが含まれている場合には、図９−２に示すように、読み出した雛形のうち可変領域コードが挿入された挿入箇所に対して利用者による入力操作が可能な状態にて利用者に出力する。なお、図９−２は、実施例２における雛形を利用した入力処理を説明するための図である。
【００６７】
例えば、図９−２に示す例では、雛形処理部５０６は、利用者によって選択された雛形のうち可変領域コードが挿入された挿入箇所に対する入力操作を受け付ける文例展開エディタを起動し、最初の可変領域にカーソルを位置付ける。ここで、雛形処理部５０６は、雛形が「体温：■℃」である場合には、「■」の領域にカーソルを位置づけて入力操作を受け付け、一方、その他の「体温：℃」領域については、入力操作を受け付けない。
【００６８】
また、例えば、複数の箇所に可変領域コードが挿入されている場合には、図９−２に示すように、雛形処理部５０６は、可変領域コードが挿入された複数の箇所のうち現にカーソルが位置する箇所に対して利用者による入力操作が可能な状態にて利用者に出力する。
【００６９】
また、例えば、雛形処理部５０６は、雛形に含まれる挿入箇所のうちカーソルが位置する挿入箇所に対する入力操作が終了すると、次の挿入箇所があるかを判定する。例えば、複数の挿入箇所があるかを判定する。
【００７０】
ここで雛形処理部５０６は、次の挿入箇所があると判定すると、図９−３に示すように、利用者による入力操作が終了した挿入箇所とは別の挿入箇所に該カーソルの位置を変更する。つまり、雛形処理部５０６は、カーソルに対応する挿入箇所に対する利用者の入力操作が終了すると、次の挿入箇所へとカーソルを自動的に移動させ、移動先となる挿入箇所に対する入力操作を利用者から受け付ける。なお、図９−３は、実施例２における雛形を利用した入力処理を説明するための図である。
【００７１】
また、例えば、雛形処理部５０６は、次の挿入箇所がないと判定すると、確定キーにカーソルを位置付ける。つまり、雛形に含まれる挿入箇所への入力操作を利用者が終了するためのキーにカーソルを位置づける。
【００７２】
また、例えば、雛形処理部５０６は、雛形に含まれる挿入箇所への入力操作を利用者が終了すると、例えば、図９−３の「確定」が利用者によって選択されると、図９−４に示すように、利用者による入力操作が反映された雛形を電子カルテの入力画面に反映する。なお、図９−４は、実施例２における雛形を利用した入力処理を説明するための図である。
【００７３】
例えば、雛形処理部５０６は、利用者による入力操作として、「ＥＮＴＥＲ」キーや「Ｔａｂ」キーを選択する操作が行われた場合には、カーソルの位置する挿入箇所に対する入力操作が終了したと判定する。また、例えば、図９−３の「確定キー」を選択するキー操作が利用者によって行われた場合には、利用者による入力操作が反映された雛形を電子カルテの入力画面に反映する。
【００７４】
ここで、雛形が
「体温        ：■℃
血圧（最高）：■mmHg
血圧（最低）：■mmHg
脈拍        ：■回」である場合を例を用いてさらに説明する。
【００７５】
例えば、雛形処理部５０６は、最初の挿入箇所として、「℃」の前にデフォルトカーソルを位置付ける。そして、利用者によって体温数値を入力する入力操作が終了すると、順次血圧、呼吸、脈拍に対応する挿入箇所へと順次自動的にカーソル位置を変更する。なお、雛形処理部５０６は、最終項目の入力が完了すると、自動的に電子カルテエディタの入力画面に反映してもよい。
【００７６】
なお、雛形処理部５０６は、利用者によって選択された雛形に可変領域コードが含まれていないと判定した場合には、図９−５に示すように、利用者によって選択された雛形をそのまま電子カルテの入力画面に反映する。なお、図９−５は、実施例２における雛形を利用した入力処理を説明するための図である。
【００７７】
なお、雛形処理部５０６による処理の流れの詳細な一例については、図１２を用いて説明するため、ここでは説明を省略する。
【００７８】
診療情報入力装置１００は、既知のパーソナルコンピュータ、ワークステーション、ＰＤＡ（Personal  Digital  Assistant）などの情報処理装置に、上記した各部の機能を搭載することによって実現しても良い。
【００７９】
［実施例２に係る診療情報入力装置による処理］
次に、実施例２に係る診療情報入力装置１００による処理の流れについて説明する。以下では、実施例２に係る診療情報入力装置による全体処理の流れ、雛形登録処理の流れ、雛形を利用した入力処理の流れについて順に説明する。
【００８０】
［実施例２に係る診療情報入力装置による全体処理の流れ］
図１０を用いて、実施例２に係る診療情報入力装置１００による全体処理の流れの一例について説明する。図１０は、実施例２に係る診療情報入力装置による全体処理の流れの一例について説明するためのフローチャートである。
【００８１】
図１０に示すように、実施例２における診療情報入力装置１００では、電子カルテ起動指示を利用者から受け付けると（ステップＳ２０１肯定）、電子カルテ実行部５０１は、利用者ログイン処理を実行する（ステップＳ２０２）。例えば、電子カルテ実行部５０１は、電子カルテシステムのログイン要求画面を出力部３０２に出力し、その後、利用者によって入力された「ユーザ名、パスワード」を入力部３０１から受信し、ユーザ認証を実行する。つまり、電子カルテの使用を開始する。
【００８２】
そして、電子カルテ実行部５０１は、利用者ログインが許可された利用者から受診者ＩＤなどを受け付けて、受診者のカルテを開く（ステップＳ２０３）。つまり、電子カルテ実行部５０１は、電子カルテ記憶部４０１から電子カルテを取得する。
【００８３】
そして、電子カルテ実行部５０１は、電子カルテに診療情報を入力するためのカルテエディタを起動する（ステップＳ２０４）。ここで、電子カルテ実行部５０１は、入力画面を出力部３０２から出力する。
【００８４】
ここで、実施例２における診療情報入力装置１００では、雛形を利用した入力処理が行われる（ステップＳ２０５）。なお、雛形を利用した入力処理の流れについては、図１２を用いて後述するため、ここでは説明を省略する。
【００８５】
その後、電子カルテ実行部５０１は、電子カルテを更新したカルテエディタを保存し（ステップＳ２０６）、利用者の操作を受け付けて受診者のカルテを閉じた後（ステップＳ２０７）、利用者の操作による利用者ログアウトを受け付けて処理を終了する（ステップＳ２０８）。
【００８６】
［実施例２における診療情報入力装置による雛形登録処理の流れ］
図１１を用いて、実施例２における診療情報入力装置１００による雛形登録処理の流れの一例を説明する。図１１は、実施例２における診療情報入力装置による雛形登録処理の流れの一例を説明するためのフローチャートである。
【００８７】
図１１に示すように、表示部５０２は、文例登録エディタを起動すると（ステップＳ３０１肯定）、つまり、選択指示と文例登録する旨の指示とを入力部３０１から受信すると、文例登録エディタ上に選択された文例を表示する（ステップＳ３０２）。そして、表示部５０２は、文例に対する修正操作を入力部３０１から受け付ける（ステップＳ３０３）。
【００８８】
ここで、登録キーが利用者によって選択されたと表示部５０２によって判定されると（ステップＳ３０４肯定）、反映後文例と反映前文例とを表示部５０２が特定部５０３に出力し、特定部５０３は、反映後文例と反映前文例とを比較する（ステップＳ３０５）。つまり、特定部５０３は、反映後文例と反映前文例とを比較することで、相違箇所を特定する。なお、登録キーが利用者によって選択されたと表示部５０２によって判定されていない場合には（ステップＳ３０４否定）、表示部５０２は、修正操作を受け付ける（ステップＳ３０３）。
【００８９】
そして、登録部５０４は、特定部５０３による比較の結果相違箇所がある場合には（ステップＳ３０６肯定）、全ての相違箇所に可変領域コードを挿入し（ステップＳ３０７）、雛形記憶部４０２に登録する（ステップＳ３０８）。例えば、登録部５０４は、相違箇所に可変領域コードを挿入し、可変領域コードが挿入された反映後文例を雛形として雛形記憶部４０２に登録する。
【００９０】
一方、登録部５０４は、特定部５０３による比較の結果相違箇所がない場合には（ステップＳ３０６否定）、可変領域コードを挿入することなく、そのまま雛形記憶部４０２に登録する（ステップＳ３０８）。
【００９１】
［実施例２における診療情報入力装置による雛形を利用した入力処理の流れ］
図１２を用いて、実施例２における診療情報入力装置による雛形を利用した入力処理の流れの一例を説明する。図１２は、実施例２における診療情報入力装置による雛形を利用した入力処理の流れの一例を説明するためのフローチャートである。以下に説明する処理は、図１０におけるステップＳ２０５に対応する。
【００９２】
図１２に示すように、雛形検索部５０５は、入力操作受け付けると（ステップＳ４０１肯定）、雛形記憶部４０２を検索する（ステップＳ４０２）。例えば、雛形検索部５０５は、検索キーを入力部３０１から受け付け、受け付けた検索キーを用いて雛形記憶部４０２を参照し、雛形記憶部４０２から雛形を取得する。
【００９３】
ここで、雛形検索部５０５は、該当する雛形があると（ステップＳ４０３肯定）、つまり、検索キーに対応付けられた雛形が雛形記憶部４０２に記憶されている場合には、検索キーに対応する雛形すべてを取得雛形記憶部４０３に入力する（ステップＳ４０４）。一方、雛形検索部５０５は、該当する雛形がないと（ステップＳ４０３否定）、そのまま処理を終了する。
【００９４】
そして、雛形処理部５０６は、雛形検索部５０５によって雛形が取得雛形記憶部４０３に入力されると（ステップＳ４０４）、取得雛形記憶部に入力された雛形の一覧画面を表示する（ステップＳ４０５）。
【００９５】
そして、利用者によって雛形が選択された場合には（ステップＳ４０６肯定）、雛形処理部５０６は、利用者によって選択された雛形に可変領域コードが含まれているかを判定する（ステップＳ４０７）。ここで、雛形処理部５０６は、可変領域コードが含まれていると判定した場合には（ステップＳ４０７肯定）、選択された雛形を文例展開エディタに展開し（ステップＳ４０８）、最初の可変領域にカーソルを位置付ける（ステップＳ４０９）。
【００９６】
そして、雛形処理部５０６は、入力操作を受け付け（ステップＳ４１０）、雛形に含まれる挿入箇所のうちカーソルが位置する挿入箇所に対する入力操作を受け付ける。そして、雛形処理部５０６は、確定キーを選択する操作を受け付けると（ステップＳ４１１肯定）、利用者による入力操作が反映された雛形を電子カルテの入力画面に反映する（ステップＳ４１２）。
【００９７】
また、雛形処理部５０６は、確定キーを選択する操作ではなく、「ＥＮＴＥＲ」キーや「Ｔａｂ」キーを選択する操作を受け付けると（ステップＳ４１１否定およびステップＳ４１３肯定）、次の挿入箇所があるかを判定する（ステップＳ４１４）。つまり、雛形処理部５０６は、雛形に含まれる挿入箇所のうちカーソルが位置する挿入箇所に対する入力操作が終了すると、複数の挿入箇所があるかを判定する。そして、雛形処理部５０６は、次の挿入箇所があると判定すると（ステップＳ４１４肯定）、次の挿入箇所にカーソルを位置付ける（ステップＳ４１５）。つまり、雛形処理部５０６は、利用者による入力操作が終了した挿入箇所とは別の挿入箇所に該カーソルの位置を変更する。
【００９８】
そして、雛形処理部５０６は、次の挿入箇所にカーソルを位置付けると（ステップＳ４１５）、現にカーソルが位置する挿入箇所に対する入力操作を受け付けることになる（ステップＳ４１０）。また、雛形処理部５０６は、確定キーが選択されていない場合や（ステップＳ４１１否定）、「ＥＮＴＥＲ」キーや「Ｔａｂ」キーが選択されて場合にも（ステップＳ４１３否定）、現にカーソルが位置する挿入箇所に対する入力操作を受け続けることになる（ステップＳ４１０）。
【００９９】
また、雛形処理部５０６は、次の挿入箇所がないと判定すると（ステップＳ４１４否定）確定キーにカーソルを位置付ける（ステップＳ４１６）。そして、上記したステップＳ４１０に戻り、例えば、利用者から確定キーを選択する操作を受け付けることになる。
【０１００】
なお、上記したステップＳ４０６において、利用者によっていずれの雛形も選択されなかった場合には（ステップＳ４０６否定）、雛形処理部５０６は、そのまま処理を終了する。
【０１０１】
また、上記したステップＳ４０７において、利用者によって選択された雛形に可変領域コードが含まれていないと判定した場合には（ステップＳ４０７否定）、利用者によって選択された雛形をそのまま電子カルテの入力画面に反映する（ステップＳ４１２）。
【０１０２】
［実施例２の効果］
上記したように、実施例１によれば、診療情報入力装置１００は、利用者に文例を表示し、修正操作を利用者から受け付け、受け付けた修正操作が反映された後の反映後文例と反映前文例とを比較することで、相違箇所を特定する。そして、診療情報入力装置１００は、相違箇所に所定の記号を挿入し、所定の記号が挿入された反映後文例を雛形として雛形記憶部４０２に登録する。この結果、再利用しやすい雛形を容易に作成することが可能である。
【０１０３】
また、実施例１によれば、雛形記憶部４０２に登録された雛形を読み出し、読み出した雛形のうち可変領域コードが挿入された挿入箇所に対して利用者による入力操作が可能な状態にて利用者に出力する。この結果、再利用しやすい雛形として利用することが可能である。
【０１０４】
また、実施例１によれば、診療情報入力装置１００は、雛形に複数の挿入箇所に含まれる場合に、複数の挿入箇所のうち現にカーソルが位置する挿入箇所に対して利用者による入力操作が可能な状態にて利用者に出力する。そして、診療情報入力装置１００は、雛形に含まれる挿入箇所のうちカーソルが位置する挿入箇所に対する入力操作が終了すると、利用者による入力操作が終了した挿入箇所とは別の挿入箇所にカーソルの位置を変更する。この結果、複数の挿入箇所がある場合であっても、診療情報入力装置１００が自動的にカーソルの位置を変更するので、利用者にとって利用しやすい雛形とすることが可能である。具体的には、利用者がマウスなどを用いて別の挿入箇所にカーソルの位置を変更することなく、別の挿入箇所に対する入力操作を実行することが可能である。
【実施例３】
【０１０５】
さて、これまで本発明の実施例について説明したが、本発明は上述した実施例以外にも、その他の実施例にて実施されてもよい。そこで、以下では、その他の実施例について説明する。
【０１０６】
［実施例の組み合わせについて］
例えば、実施例２では、可変領域コードが挿入された箇所に対して利用者による入力操作が可能な状態にて出力する手法（１）と、入力操作が終了した挿入箇所とは別の挿入箇所にカーソルの位置を自動で変更する手法（２）とを併せて実施する場合を説明した。しかし、本発明はこれに限定されるものではなく、例えば、手法（１）と手法（２）のうち、いずれか一方を実施してもよく、両方を実施しなくてもよい。
【０１０７】
［システム構成］
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１０８】
この他、上記文書中や図面中で示した処理手順、制御手順、具体的名称、各種のデータやパラメータを含む情報については（例えば、図１〜図１２）、特記する場合を除いて任意に変更することができる。
【０１０９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、実施例２では、説明の便宜上、図３と図７とに分けて、診療情報入力装置１００の構成について説明したが、図３と図７とに分けて説明した構成を分散して構成しても良い。
【０１１０】
［コンピュータ］
また、上記の実施例で説明した各種の処理は、あらかじめ用意されたプログラムをパーソナルコンピュータやワークステーションなどのコンピュータで実行することによって実現することができる。そこで、以下では、図１３を用いて、上記の実施例と同様の機能を有する登録プログラムを実行するコンピュータの一例を説明する。なお、図１３は、実施例２に係る登録プログラムを実行するコンピュータの一例について説明するための図である。
【０１１１】
図１３に示すように、実施例１におけるコンピュータ３０００は、操作部３００１、マイク３００２、スピーカ３００３、ディスプレイ３００４、通信部３００６、ＣＰＵ（Central  Processing  Unit）３０１０、ＲＯＭ（Read  Only  Memory）３０１１、ＨＤＤ（Hard  Disk  Drive）３０１２、ＲＡＭ（Random  Access  Memory）３０１３をバス３００９などで接続して構成されている。
【０１１２】
ＲＯＭ３０１１には、上記の実施例１で示した電子カルテ実行部５０１と、表示部５０２と、特定部５０３と、登録部５０４と、雛形検索部５０５と、雛形処理部５０６と同様の機能を発揮する制御プログラム、つまり、図１３に示すように、電子カルテ実行プログラム３０１１ａと、表示プログラム３０１１ｂと、特定プログラム３０１１ｃと、登録プログラム３０１１ｄと、雛形検索プログラム３０１１ｅと、雛形処理プログラム３０１１ｆとが予め記憶されている。なお、これらのプログラム３０１１ａ〜３０１１ｆについては、図３や図７に示した診療情報入力装置１００の各構成要素と同様、適宜統合または分離してもよい。
【０１１３】
そして、ＣＰＵ３０１０が、これらのプログラム３０１１ａ〜３０１１ｆをＲＯＭ３０１１から読み出して実行することにより、図１３に示すように、各プログラム３０１１ａ〜３０１１ｆについては、電子カルテ実行プロセス３０１０ａと、表示プロセス３０１０ｂと、特定プロセス３０１０ｃと、登録プロセス３０１０ｄと、雛形検索プロセス３０１０ｅと、雛形処理プロセス３０１０ｆとして機能するようになる。なお、各プロセス３０１０ａ〜３０１０ｆは、図３や図７に示した、電子カルテ実行部５０１と、表示部５０２と、特定部５０３と、登録部５０４と、雛形検索部５０５と、雛形処理部５０６とにそれぞれ対応する。
【０１１４】
そして、ＨＤＤ３０１２には、電子カルテテーブル３０１２ａと、雛形テーブル３０１２ｂとが設けられている。なお、各テーブル３０１２ａ〜３０１２ｂは、図３に示した、電子カルテ記憶部４０１と、雛形記憶部４０２とにそれぞれ対応する。
【０１１５】
そして、ＣＰＵ３０１０は、電子カルテテーブル３０１２ａと、雛形テーブル３０１２ｂとを読み出してＲＡＭ３０１３に格納し、ＲＡＭ３０１３に格納された電子カルテデータ３０１３ａと、取得雛形データ３０１３ｂと、文例データ３０１３ｃ、相違箇所データ３０１３ｄとを用いて、登録プログラムを実行する。
【０１１６】
［その他］
なお、本実施例で説明した登録プログラムは、インターネットなどのネットワークを介して配布することができる。また、登録プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【０１１７】
１００    診療情報入力装置
１０１    記憶部
２０１    表示部
２０２    受付部
２０３    特定部
２０４    登録部
３０１    入力部
３０２    出力部
４００    記憶部
４０１    電子カルテ記憶部
４０２    雛形記憶部
４０３    取得雛形記憶部
５００    制御部
５０１    電子カルテ実行部
５０２    表示部
５０３    特定部
５０４    登録部
５０５    雛形検索部
５０６    雛形処理部
３０００    コンピュータ
３００１    操作部
３００２    マイク
３００３    スピーカ
３００４    ディスプレイ
３００６    通信部
３００９    バス
３０１０    ＣＰＵ
３０１０ａ    電子カルテ実行プロセス
３０１０ｂ    表示プロセス
３０１０ｃ    特定プロセス
３０１０ｄ    登録プロセス
３０１０ｅ    雛形検索プロセス
３０１０ｆ    雛形処理プロセス
３０１１    ＲＯＭ
３０１１ａ    電子カルテ実行プログラム
３０１１ｂ    表示プログラム
３０１１ｃ    特定プログラム
３０１１ｄ    登録プログラム
３０１１ｅ    雛形検索プログラム
３０１１ｆ    雛形処理プログラム
３０１２    ＨＤＤ
３０１２ａ    電子カルテテーブル
３０１２ｂ    雛形テーブル
３０１３    ＲＡＭ
３０１３ａ    電子カルテデータ
３０１３ｂ    取得雛形データ
３０１３ｃ    文例データ
３０１３ｄ    相違箇所データ
【図１】
0005487764.tif 000002
【図２】
0005487764.tif 000003
【図３】
0005487764.tif 000004
【図４】
0005487764.tif 000005
【図５】
0005487764.tif 000006
【図６−１】
0005487764.tif 000007
【図６−２】
0005487764.tif 000008
【図６−３】
0005487764.tif 000009
【図６−４】
0005487764.tif 000010
【図７】
0005487764.tif 000011
【図８】
0005487764.tif 000012
【図９−１】
0005487764.tif 000013
【図９−２】
0005487764.tif 000014
【図９−３】
0005487764.tif 000015
【図９−４】
0005487764.tif 000016
【図９−５】
0005487764.tif 000017
【図１０】
0005487764.tif 000018
【図１１】
0005487764.tif 000019
【図１２】
0005487764.tif 000020
【図１３】
0005487764.tif 000021